(57)【要約】【課題】側面に目地材が設けられた床仕上用石質板及びこの床仕上用石質板を備えた床仕上パネルにおいて、目地部の耐摩耗性及び止水性を良好なものとする。【解決手段】床仕上用石質板は、石質板１と、該石質板１の隣接２辺の側面に取り付けられた軟質目地材３及び硬質目地材２を備えている。硬質目地材２は、目地部の上面を構成する天部２ａと該天部２ａに連なっており、石質板１の側面に沿って下方に延在するサイド部２ｂとを有した逆Ｌ字形断面形状を有している。軟質目地材３は、この天部２ａの下側かつサイド部２ｂの側外方に配置された略長方形又は略正方形断面形状を有し、側外方に張り出している。【選択図】図１
2011214349.tif 000002
【特許請求の範囲】
【請求項１】
側面に目地材が設けられている床仕上用石質板において、
該石質板の側面の上部に硬質目地材が設けられ、下部の少なくとも外側面に軟質目地材が設けられており、
該軟質目地材が硬質目地材よりも目地幅方向に突出していることを特徴とする床仕上用石質板。
【請求項２】
請求項１において、該硬質目地材は、軟質目地材の上面側に重なる天部と、軟質目地材と石質板との間に介在されたサイド部とを有することを特徴とする床仕上用石質板。
【請求項３】
請求項１において、前記硬質目地材の全体が前記軟質目地材の上側に配置されていることを特徴とする床仕上用石質板。
【請求項４】
請求項１ないし３のいずれか１項において、前記硬質目地材と軟質目地材とが同系色であることを特徴とする床仕上用石質板。
【請求項５】
請求項１ないし４のいずれか１項に記載の床仕上用石質板が下地板に取り付けられてなる床仕上パネル。
【発明の詳細な説明】
【技術分野】
【０００１】
本発明は、タイル、石板等の床仕上用石質板に係り、特に石質板の側面に目地材を設けた床仕上用石質板に関する。また、本発明は、この床仕上用石質板を下地板に取り付けてなる床仕上パネルに関する。
【背景技術】
【０００２】
タイル、天然石板、人工石板などの石質板を床下地面に施工する場合、石質板の側面に目地材を取り付けておくことがある。特許文献１（特開平６−３３５６７）には、石質板側面の上部に軟質目地材を配置し、該側面の下部に硬質目地材を配置し、軟質目地材を硬質目地材よりも幅大としたものが記載されている。この床仕上用石質板を床下地面上に施工する場合、床仕上用石質板の側面同士を当接させ、上側の軟質目地材を石質板同士の間で押し縮める。この床仕上用石質板によれば、目地間に硬質目地材が介在するので、目地幅が所定幅に確保される（特許文献１の０００６段落）。
【先行技術文献】
【特許文献】
【０００３】
【特許文献１】特開平６−３３５６７
【発明の概要】
【発明が解決しようとする課題】
【０００４】
特許文献１では、軟質目地材を硬質目地材の上位側に配置しているので、目地部の上面（表面）が軟質目地材で構成されることになる。この軟質目地材は硬質目地材に比べて耐摩耗性に劣る。また、充分な止水を得ようとすると、軟質目地がしわになり仕上がりが低下する。
【０００５】
本発明は、上記従来の問題点を解消し、側面に目地材が設けられた床仕上用石質板及びこの床仕上用石質板を備えた床仕上パネルにおいて、目地部の耐摩耗性を良好なものとすることを目的とする。
【課題を解決するための手段】
【０００６】
本発明（請求項１）の床仕上用石質板は、側面に目地材が設けられている床仕上用石質板において、該石質板の側面の上部に硬質目地材が設けられ、下部の少なくとも外側面に軟質目地材が設けられており、該軟質目地材が硬質目地材よりも目地幅方向に突出していることを特徴とするものである。
【０００７】
請求項２の床仕上用石質板は、請求項１において、該硬質目地材は、軟質目地材の上面側に重なる天部と、軟質目地材と石質板との間に介在されたサイド部とを有することを特徴とするものである。
【０００８】
請求項３の床仕上用石質板は、請求項１又は２において、前記硬質目地材の全体が前記軟質目地材の上側に配置されていることを特徴とするものである。
【０００９】
請求項４の床仕上用石質板は、請求項１ないし３のいずれか１項において、前記硬質目地材と軟質目地材とが同系色であることを特徴とするものである。
【００１０】
本発明（請求項５）の床仕上パネルは、請求項１ないし４のいずれか１項に記載の床仕上用石質板が下地板に取り付けられてなるものである。
【発明の効果】
【００１１】
本発明の床仕上用石質板及び床仕上パネルにあっては、石質板側面の上部に硬質目地材が設けられ、下部に軟質目地材が設けられている。床仕上用石質板及び床仕上パネルを施工するに際しては、硬質目地材を隣接する石質板側面に当接又は近接させ、石質板同士の間で軟質目地材を挟圧する。そのため、目地幅は硬質目地材の幅（目地幅方向の幅員）分に定まることになり、目地通りがよくなる。
【００１２】
この目地部にあっては、硬質目地材が上面部を構成しているので、耐摩耗性が良好である。
【００１３】
本発明では、軟質目地材を石質板同士の間で挟圧して押し縮めるが、硬質目地材については押し縮めない。そのため、目地幅の調節の労力を省力化でき、且つ床仕上パネルの施工時に床仕上パネルを押し付ける力が小さくて済み、施工能率が向上する。また、軟質目地材は、長期にわたって弾性的に圧縮された状態で目地に存在するようになり、軟質目地材が長期にわたって石質板にしっかりと挟圧保持されるので、目地切れや、目地の脱落が防止され、止水性が維持される。
【００１４】
請求項２の床仕上用石質板は、硬質目地材が天部とサイド部とを有している。このサイド部を石質板に付着させることにより、硬質目地材の石質板への付着強度が高いものとなり、硬質目地材の脱落や剥離が防止される。
【００１５】
請求項３の床仕上用石質板にあっては、天部の厚みが小さいので、天部の側端と隣接する石質板側面との間に隙間が存在していても、天部の側端面が目立たず、美観が良好なものとなる。
【００１６】
請求項４の床仕上用石質板は、硬質目地材及び軟質目地材の形状がシンプルであり、低コストである。
【００１７】
請求項５の床仕上用石質板にあっては、硬質目地材の側端と隣接する石質板側面との間に隙間が存在していても、硬質目地材と軟質目地材とが同系色であるため、この隙間が目立たず、美観が良好である。
【００１８】
本発明の床仕上用石質板は、床下地面に直接的に施工されてもよく、下地板上に床仕上用石質板を設けた床仕上パネルとして施工されてもよい。
【図面の簡単な説明】
【００１９】
【図１】実施の形態に係る床仕上用石質板を示す断面図である。
【図２】別の実施の形態に係る床仕上用石質板を示す断面図である。
【図３】実施の形態に係る床仕上パネルを示す断面図である。
【発明を実施するための形態】
【００２０】
以下、図面を参照して実施の形態について説明する。
【００２１】
［第１図の実施の形態］
第１図は実施の形態に係る床パネルを示す断面図であり、（ａ）は施工途中図、（ｂ）及び（ｃ）は施工後の断面図である。
【００２２】
第１図（ａ）の通り、躯体床面上に施工される床仕上用石質板は、石質板１と、該石質板１の隣接２辺の側面に取り付けられた軟質目地材３及び硬質目地材２を備えている。硬質目地材２は、目地部の上面を構成する天部２ａと該天部２ａに連なっており、石質板１の側面に沿って下方に延在するサイド部２ｂとを有した逆Ｌ字形断面形状を有している。軟質目地材３は、この天部２ａの下側かつサイド部２ｂの側外方に配置された略長方形又は略正方形断面形状を有する。
【００２３】
軟質目地材３の外側面すなわち石質板１から遠い側の側面は、天部２ａよりも外方に突出している。即ち、サイド部２ｂの目地幅方向の厚みをＷ２とし、天部２ａの該方向の幅員をＷ１とし、軟質目地材３の該方向の厚みをＷ３とした場合、（Ｗ２＋Ｗ３）＞Ｗ１であり、軟質目地材３は（Ｗ２＋Ｗ３）−Ｗ１の分だけ天部２ａよりも目地幅方向に突出している。この突出長さ、即ち（Ｗ２＋Ｗ３）−Ｗ１は（Ｗ２＋Ｗ３）の１５〜８０％特に３０〜６０％程度が好適である。
【００２４】
この実施の形態では、硬質目地材２の下端面及び軟質目地材３の底面は石質板１の底面と略面一となっている。硬質目地材２の高さＴ１は、石質板１の厚みＴ０の５０〜１００％特に６５〜９５％程度が好適である。天部２ａの上下方向の厚みＴ２は、硬質目地材２の高さＴ１の１０〜５０％特に１０〜３５％程度が好適である。また、従って、軟質目地材３の上下方向の厚みＴ３はＴ１の５０〜９０％特に６５〜９０％程度が好適である。
【００２５】
石質板１としては、陶磁器製タイルや、天然石又は人工石よりなる石板が好適である。石質板１の厚さは２〜１０ｍｍ程度が好適である。なお、石質板１の上面の角縁は、図示の通り面落し状となっていたり、丸みを帯びていたりすることが一般的であるが、この場合、硬質目地材の上端は、この面落しの斜面状部分又は丸みを帯びた部分には達しないようにする。
【００２６】
軟質目地材３としては、発泡ゴム（例えば発泡ＥＰＤＭ、発泡ＮＲ、発泡ＣＲ、発泡ＮＢＲ、発泡シリコーンゴム）や、弾性樹脂例えば発泡合成樹脂（例えば発泡ポリエチレン、発泡ポリウレタン、発泡ポリ塩化ビニル）、ホットメルト（フォームメルトを含む）などが好適である。また、硬質目地材２としては、ＰＥＴ、塩化ビニル、アクリル樹脂などの硬質プラスチック、ゴムソリッド、低発泡ゴム、低発泡合成樹脂、ホットメルト（フォームメルトを含む）などの樹脂又は木材、アルミ、ステンレスなどの金属等が好適である。
【００２７】
軟質目地材３の２５％圧縮硬さは、０．１〜１０Ｎ／ｃｍ２特に０．１〜５Ｎ／ｃｍ２程度が好ましく、硬質目地材２の２５％圧縮硬さは２０Ｎ／ｃｍ２以上が好ましい。
【００２８】
軟質目地材３及び硬質目地材２は、石質板１の２側面の全長にわたって設けられている。硬質目地材２は粘着剤又は接着剤又は素材の自着性によって石質板１の側面に付着されている。軟質目地材３は粘着剤又は接着剤又は素材の自着性によって硬質目地材２のサイド部２ｂに付着されている。
【００２９】
この実施の形態では、軟質目地材３の上面と硬質目地材２の天部２ａの下面とは、重なってはいるが、接着されてはいない。このようにすれば、軟質目地材３は天部２ａから拘束を受けることなく圧縮変形可能である。軟質目地材３の上面と硬質目地材２の天部２ａの下面とは当接していることが好ましいが、両者間に若干の隙間があいていてもよい。なお、軟質目地材３の上面と天部２ａとは付着されていてもよい。
【００３０】
この床仕上用石質板を、合板、コンクリートなどよりなる躯体床面上に施工するには、躯体床面上に複数枚の床仕上用石質板を第１図（ａ）のように各々の間に間隙があくように載置する。
【００３１】
次いで、床仕上用石質板を押して移動させ、図の右側の石質板１の側面を左側の床仕上用石質板の硬質目地材天部２ａに当接させる。硬質目地材２の天部２ａの幅員Ｗ１は、実質的に、施工完了時における目地間隙寸法となる。石質板１の躯体への固定は、基本的に接着剤で行う。
【００３２】
第１図（ｂ）のように、右側の石質板１を左側の床仕上用石質板の硬質目地材天部２ａに突き合わせた状態では、目地間隙寸法は均一であり、目地通りの良い仕上りとなる。そして、軟質目地材３の上面が硬質目地材天部２ａで覆われるので、目地間隙に軟質目地材３は視認されず、美観が良い。また、目地材の耐摩耗性及び止水性が良好なものとなる。さらに、軟質目地材３が充分につぶれることにより、止水性も良好となる。なお、本発明では、石質板１の目地通りを揃えるために、第１図（ｃ）のように、右側の石質板の側面と左側の床仕上用石質板の天部２ａとの間に若干の隙間があいてもよい。
【００３３】
この実施の形態では、石質板１，１間で軟質目地材３が圧縮され、長期にわたって弾性的に石質板１，１間に介在する。これにより、軟質目地材３の弾性率が低下してきたときや、何らかの原因によって目地間隙が拡大したときでも、軟質目地材３が弾性的に膨張可能な状態で目地間隙に存在するようになり、目地切れが防止されると共に、軟質目地材３が取れることが防止される。また、軟質目地材３は、圧縮するのに要する力が小さいので、床仕上パネル２，２同士を突き合わせる作業労力が軽減される。
【００３４】
この実施の形態では、硬質目地材２を逆Ｌ字形断面形状とし、サイド部２ｂの全体を石質板１の側面に付着させるようにしている。そのため、硬質目地材２と石質板１との付着面積が大きく、硬質目地材２の石質板１への付着強度が大きい。従って、運搬途中や施工途中で硬質目地材２が剥離して脱落することが防止される。また、施工後にはサイド部２ｂが軟質目地材３と石質板１との間で挟圧されるので、硬質目地材２が取れることも防止される。
【００３５】
この実施の形態では、硬質目地材天部２ａの厚みＴ２を小さく設定しているので、第１図（ｃ）のように天部２ａの側端と石質板１との間に若干の隙間があいても、この隙間が目立たず、美観が良い。この場合、硬質目地材２と軟質目地材３とを同系色としておくと、この隙間が目立たないようになる。この色としては、石質板１と同系色で且つやや白っぽいものが好ましい。石質板と目地材とを同系色としない場合、目地材をグレー又はベージュ系とすることが好ましいが、これに限定されない。
【００３６】
［第２図の実施の形態］
上記実施の形態では、硬質目地材を逆Ｌ字形断面形状としているが、第２図のようにそれぞれ略長方形状または略正方形状の硬質目地材４と軟質目地材５とを用いてもよい。各目地材４，５は、それらの側端面が石質板１の隣接する２側面に接着剤又は粘着剤等によって付着されている。硬質目地材４の下側に軟質目地材５が配置されている。硬質目地材４の下面と軟質目地材５の上面とは、付着されていてもよく、付着されていなくてもよい。
【００３７】
軟質目地材５の目地幅方向の幅員は硬質目地材４の該方向の幅員よりも大きい。軟質目地材５に外力を加えていない状態において、硬質目地材４の上下方向の厚みは、硬質目地材４と軟質目地材５との合計の上下方向厚みの１０〜５０％特に１０〜３５％程度が好適である。
【００３８】
この実施の形態でも、図の右側の石質板１の側面を左側の床仕上用石質板の硬質目地材４の側端面に当接させるようにして施工されるが、第２図（ｃ）のように硬質目地材４の側端面と右側の石質板１の側面との間に若干の隙間があいてもよい。この実施の形態でも、硬質目地材４と軟質目地材５とを同系色とするのが好ましい。
【００３９】
この実施の形態でも、上記第１図の実施の形態において硬質目地材２を逆Ｌ字形断面形状としたことによる固有の効果を除き、同様の作用効果が得られる。
【００４０】
［第３図の実施の形態］
上記第１，２図の実施の形態は、いずれも床仕上用石質板を躯体床面上に直接的に施工するものであるが、本発明では床仕上用石質板を下地板上に設置して固着させた床仕上パネルとしてもよい。
【００４１】
第３図は、その一例を示すものであり、床仕上パネルは、下地板６と、該下地板６上に貼り付けられた石質板１と、石質板１の隣接２辺の側面に取り付けられた軟質目地材３及び硬質目地材２を備えている。
【００４２】
下地板６としては、合板、珪酸カルシウム板、スラグ石膏板、スレートボード、木質系繊維板、パーティクルボードなどよりなるものが用いられる。下地板６の厚さは５〜１５ｍｍ程度が好適である。
【００４３】
この実施の形態では、下地板６の隣接する２辺の側面６ａに雄実６ｂが設けられ、残りの２辺の側面６ｃに雌実６ｄが設けられている。この実施の形態では、左側の石質板１の硬質目地材２及び軟質目地材３は、下地板６の雄実６ｂを有する側面６ａから、下地板６の板央側へ所定距離、好ましくは１〜６ｍｍ特に好ましくは２〜３ｍｍ程度後退している。また、石質板１は、雌実６ｄを有する下地板の側面６ｃから側方へ張り出している。
【００４４】
なお、実部は図示以外の形状であってもよい。例えば、雄実６ｂ及び雌実６ｄは、下地板６の厚み方向の途中部分に設けられているが、下部に設けられてもよい。
【００４５】
石質板１としてタイルを用いる場合、下地板６とタイルの寸法の一例を挙げると、次の通りである。
（１）  ３００×３００ｍｍの下地板に約３００×３００ｍｍのタイルを張る。
（２）  ３００×６００ｍｍの下地板に約３００×３００ｍｍのタイルを２枚又は約３００×６００ｍｍのタイルを１枚張る。
（３）  ３００×１８００ｍｍの下地板に約３００×３００ｍｍのタイルを６枚又は約３００×６００ｍｍのタイルを３枚張る。
【００４６】
ただし、上記（１）〜（３）の寸法はあくまでも一例であり、本発明を何ら限定するものではない。
【００４７】
各床仕上パネルを根太、合板、コンクリートなどよりなる躯体床面７上に施工するには、躯体床面７上に複数枚の床仕上パネルを第３図（ａ）のように各々の下地板６，６間に間隙があくように載置する。
【００４８】
次いで、床仕上パネルを押して移動させ、雄実６ｂと雌実６ｄとを係合させつつ、下地板６，６同士をさらに接近させる。
【００４９】
床仕上パネル２の躯体床面７への固定は、基本的に接着剤で行う。釘、ビスをその際の仮固定に使用してもよい。
【００５０】
床仕上パネル同士をほぼ突き合わせた状態では、それらの間の目地間隙に軟質目地材３が挟圧された状態で配置されており、この軟質目地材３が硬質目地材２の天部２ａで覆われた状態となり、第１図の場合と同様の作用効果が得られる。なお、第３図（ｂ）では硬質目地材２及び軟質目地材３の状態は第１図（ｂ）のものとなっているが、第１図（ｃ）のように天部２ａの側端と隣接する石質板１との間に若干の隙間があいてもよい。また、第３図（ｂ）では下地板６，６の側面６ａ，６ｃが当接しているが、両者間に若干の隙間があいてもよい。
【００５１】
第３図の実施の形態では、雄実６ｂ側の石質板側面に目地材２，３を設けているが、雌実側の石質板側面に目地材を設けてもよい。また、目地材２，３の代わりに第２図のように目地材４，５を設けてもよい。
【００５２】
［その他の実施の形態］
上記実施の形態では、軟質目地材３又は５と硬質目地材２又は４とが別体であるが、軟質目地材部と硬質目地材部とが一体となった目地材を用いてもよい。
【００５３】
目地材２，３又は目地材４，５は予め製造工場で石質板１に付着させておいてもよく、施工現場で石質板１に付着させてもよい。
【符号の説明】
【００５４】
１  石質板
２，４  硬質目地材
３，５  軟質目地材
６  下地板
【図１】
2011214349.tif 000003
【図２】
2011214349.tif 000004
【図３】
2011214349.tif 000005